(57)【要約】【課題】録画された番組の番組名称情報を利便性良好に変更する。【解決手段】ＨＤＤレコーダのＭＰＵ１１は、リモコン３を介して受け付けられた操作入力に基づいて、番組情報記憶部１９１に格納された番組名称情報の中から１の番組名称情報を、変更する対象の番組名称である変更対象番組名称として選択する第１選択部１１７と、受信部１５を介してＥＰＧ情報を取得する番組表取得部１１１と、リモコン３を介して受け付けられた操作入力に基づいて、取得されたＥＰＧ情報から１の番組名称情報を、変更対象番組名称に換えて置換する番組名称である変更先番組名称として選択する第２選択部１１８と、選択された変更対象番組名称情報を、選択された変更先番組名称情報に置き換えて、番組情報記憶部１９１に書き込む置換実行部１１９と、を備えている。【選択図】図２
2009005124.tif 000002
【特許請求の範囲】
【請求項１】
デジタル放送を受信し、受信した映像情報を記録媒体に格納すると共に、受信した映像情報をモニタに表示可能に構成されたデジタル放送記録装置であって、
予め設定された１のチャンネルのデジタル放送を受信する受信手段と、
前記受信手段によって受信された１のチャンネルの映像情報を、該映像情報に対応する番組名称情報と対応付けて前記記録媒体に格納する番組情報記憶手段と、
外部からの操作入力を受け付けて、受け付けられた操作入力に基づいて、前記番組情報記憶手段に格納された番組名称情報の中から１の番組名称情報を、変更する対象の番組名称である変更対象番組名称として選択する第１選択手段と、
前記受信手段を介してＥＰＧ（Ｅｌｅｃｔｒｏｎｉｃ  Ｐｒｏｇｒａｍ  Ｇｕｉｄｅ）情報を取得する番組表取得手段と、
外部からの操作入力を受け付けて、受け付けられた操作入力に基づいて、前記番組表取得手段によって取得されたＥＰＧ情報から１の番組名称情報を、前記変更対象番組名称に換えて置換する番組名称である変更先番組名称として選択する第２選択手段と、
前記第１選択手段によって選択された変更対象番組名称情報を、前記第２選択手段によって選択された変更先番組名称情報に置き換えて、前記番組情報記憶手段に書き込む置換実行手段と、
を備えることを特徴とするデジタル放送記録装置。
【請求項２】
前記番組表取得手段によって取得されたＥＰＧ情報を格納する番組表記憶手段と、
外部からの操作入力を受け付けて、受け付けられた操作入力に基づいて、前記番組表記憶手段に格納されたＥＰＧ情報を介して、録画する対象の番組である予約録画番組を設定する録画予約手段と、
前記録画予約手段によって設定された予約録画番組の番組名称情報及び放送開始日時情報を格納する予約記憶手段と、
前記録画予約手段によって設定された予約録画番組の放送開始日時に到達したか否かを判定する日時判定手段と、
前記日時判定手段によって放送開始日時に到達したと判定された場合に、前記番組表取得手段に対してＥＰＧ情報を取得させ、取得されたＥＰＧ情報の前記予約録画番組に対応する番組名称が、前記予約記憶手段に格納された番組名称と一致するか否かを判定する名称判定手段と、
前記名称判定手段によって一致しないと判定された場合に、前記番組情報記憶手段に格納される番組名称情報が、前記予約録画番組の番組名称情報と一致しない旨の情報である名称不一致情報を前記番組名称情報と対応付けて前記番組情報記憶手段に格納する不一致記録手段と、
を備えることを特徴とする請求項１に記載のデジタル放送記録装置。
【請求項３】
外部からの操作入力を受け付けて、受け付けられた操作入力に基づいて、前記番組情報記憶手段に格納された番組名称情報を、前記名称不一致情報と対応付けて記録番組表示画面として前記モニタに表示する表示制御手段を備え、
前記第１選択手段は、前記表示制御手段によって表示された記録番組表示画面を介して、前記変更対象番組名称として、１の番組名称情報を選択することを特徴とする請求項２に記載のデジタル放送記録装置。
【請求項４】
前記表示制御手段は、外部からの操作入力を受け付けて、受け付けられた操作入力に基づいて、前記番組表記憶手段に格納された番組表情報を、番組表画面として前記モニタに表示し、
前記第２選択手段は、前記表示制御手段によって表示された番組表画面を介して、前記変更先番組名称として、１の番組名称情報を選択することを特徴とする請求項３に記載のデジタル放送記録装置。
【発明の詳細な説明】
【技術分野】
【０００１】
本発明は、デジタル放送を介して受信した番組情報を格納すると共に、格納された番組情報を再生してモニタに表示するデジタル放送記録装置に関する。
【背景技術】
【０００２】
近年、デジタル放送を受信し、受信した映像情報をＨＤＤ（Ｈａｒｄ  Ｄｉｓｋ  Ｄｒｉｖｅ）等の記録媒体に格納すると共に、受信した映像情報をモニタに表示可能に構成されたハードディスクレコーダ（以下、「ＨＤＤレコーダ」という）等のデジタル放送記録装置が普及している。また、ＨＤＤレコーダ等のデジタル放送記録装置では、ＥＰＧ（Ｅｌｅｃｔｒｏｎｉｃ  Ｐｒｏｇｒａｍ  Ｇｕｉｄｅ）情報を介して、録画する対象の番組を予め設定して録画する、いわゆる「予約録画」の機能が搭載されている。
【０００３】
しかし、予約録画の対象として設定された番組（以下、「録画予約番組」という）の放送日時が何らかの事情により変更された場合には、録画予約番組を録画できない場合がある。上記課題を解消するために、種々の方法、装置が提案されている。例えば、電子番組情報より第１の番組タイトル名を指定し、その番組タイトル名の文字列と一部が同一であり、次回に放送される第２の番組タイトル名を検出すると共に、その放送時刻情報を取得し、第２のタイトルの番組を予約して記録する番組予約記録装置が提案されている（特許文献１参照）。
【特許文献１】特開２００３−４６９２１号公報
【発明の開示】
【発明が解決しようとする課題】
【０００４】
しかしながら、上記番組予約記録装置等の従来のデジタル放送記録装置においては、録画された映像情報、音声情報等はユーザの録画を所望する番組のものであるが、録画された番組に付与された番組名称情報がユーザの所望するものと相違する場合がある。このような場合に、録画された番組に付与された番組名称情報を変更することは、煩雑な操作を要する（又は、困難な）ものであった。
【０００５】
本発明は、上記課題に鑑みてなされたものであって、録画された番組の番組名称情報を利便性良好に変更することの可能なデジタル放送記録装置を提供することを目的としている。
【課題を解決するための手段】
【０００６】
上記目的を達成するために請求項１に記載のデジタル放送記録装置は、デジタル放送を受信し、受信した映像情報を記録媒体に格納すると共に、受信した映像情報をモニタに表示可能に構成されたデジタル放送記録装置であって、予め設定された１のチャンネルのデジタル放送を受信する受信手段と、前記受信手段によって受信された１のチャンネルの映像情報を、該映像情報に対応する番組名称情報と対応付けて前記記録媒体に格納する番組情報記憶手段と、外部からの操作入力を受け付けて、受け付けられた操作入力に基づいて、前記番組情報記憶手段に格納された番組名称情報の中から１の番組名称情報を、変更する対象の番組名称である変更対象番組名称として選択する第１選択手段と、前記受信手段を介してＥＰＧ（Ｅｌｅｃｔｒｏｎｉｃ  Ｐｒｏｇｒａｍ  Ｇｕｉｄｅ）情報を取得する番組表取得手段と、外部からの操作入力を受け付けて、受け付けられた操作入力に基づいて、前記番組表取得手段によって取得されたＥＰＧ情報から１の番組名称情報を、前記変更対象番組名称に換えて置換する番組名称である変更先番組名称として選択する第２選択手段と、前記第１選択手段によって選択された変更対象番組名称情報を、前記第２選択手段によって選択された変更先番組名称情報に置き換えて、前記番組情報記憶手段に書き込む置換実行手段と、を備えることを特徴としている。
【０００７】
請求項２に記載のデジタル放送記録装置は、請求項１に記載のデジタル放送記録装置であって、前記番組表取得手段によって取得されたＥＰＧ情報を格納する番組表記憶手段と、外部からの操作入力を受け付けて、受け付けられた操作入力に基づいて、前記番組表記憶手段に格納されたＥＰＧ情報を介して、録画する対象の番組である予約録画番組を設定する録画予約手段と、前記録画予約手段によって設定された予約録画番組の番組名称情報及び放送開始日時情報を格納する予約記憶手段と、前記録画予約手段によって設定された予約録画番組の放送開始日時に到達したか否かを判定する日時判定手段と、前記日時判定手段によって放送開始日時に到達したと判定された場合に、前記番組表取得手段に対してＥＰＧ情報を取得させ、取得されたＥＰＧ情報の前記予約録画番組に対応する番組名称が、前記予約記憶手段に格納された番組名称と一致するか否かを判定する名称判定手段と、前記名称判定手段によって一致しないと判定された場合に、前記番組情報記憶手段に格納される番組名称情報が、前記予約録画番組の番組名称情報と一致しない旨の情報である名称不一致情報を前記番組名称情報と対応付けて前記番組情報記憶手段に格納する不一致記録手段と、を備えることを特徴としている。
【０００８】
請求項３に記載のデジタル放送記録装置は、請求項２に記載のデジタル放送記録装置であって、外部からの操作入力を受け付けて、受け付けられた操作入力に基づいて、前記番組情報記憶手段に格納された番組名称情報を、前記名称不一致情報と対応付けて記録番組表示画面として前記モニタに表示する表示制御手段を備え、前記第１選択手段が、前記表示制御手段によって表示された記録番組表示画面を介して、前記変更対象番組名称として、１の番組名称情報を選択することを特徴としている。
【０００９】
請求項４に記載のデジタル放送記録装置は、請求項３に記載のデジタル放送記録装置であって、前記表示制御手段が、外部からの操作入力を受け付けて、受け付けられた操作入力に基づいて、前記番組表記憶手段に格納された番組表情報を、番組表画面として前記モニタに表示し、前記第２選択手段が、前記表示制御手段によって表示された番組表画面を介して、前記変更先番組名称として、１の番組名称情報を選択することを特徴としている。
【発明の効果】
【００１０】
請求項１に記載のデジタル放送記録装置によれば、受信手段によって、予め設定された１のチャンネルのデジタル放送が受信され、受信された１のチャンネルの映像情報が、該映像情報に対応する番組名称情報と対応付けて記録媒体の番組情報記憶手段に格納される。そして、外部からの操作入力を受け付けられて、受け付けられた操作入力に基づいて、番組情報記憶手段に格納された番組名称情報の中から１の番組名称情報が、変更する対象の番組名称である変更対象番組名称として選択され、更に、受信手段を介してＥＰＧ情報が取得され、外部からの操作入力を受け付けられて、受け付けられた操作入力に基づいて、取得されたＥＰＧ情報から１の番組名称情報が、変更対象番組名称に換えて置換する番組名称である変更先番組名称として選択される。また、変更対象番組名称が、変更先番組名称情報に置き換えられて、番組情報記憶手段に書き込まれるため、録画された番組の番組名称情報を利便性良好に変更することができる。
【００１１】
すなわち、番組情報記憶手段に格納された番組名称情報の中から１の番組名称情報が、変更する対象の番組名称である変更対象番組名称として選択され、取得されたＥＰＧ情報から１の番組名称情報が、変更対象番組名称に換えて置換する番組名称である変更先番組名称として選択され、変更対象番組名称が変更先番組名称情報に置き換えられて、番組情報記憶手段に書き込まれるため、ユーザは、変更先番組名称情報をＥＰＧ情報から選択することによって容易に設定することができるので、録画された番組の番組名称情報を利便性良好に変更することができるのである。
【００１２】
請求項２に記載のデジタル放送記録装置によれば、取得されたＥＰＧ情報が番組表記憶手段に格納されており、外部からの操作入力を受け付けられて、受け付けられた操作入力に基づいて、番組表記憶手段に格納されたＥＰＧ情報を介して、録画する対象の番組である予約録画番組が設定され、設定された予約録画番組の番組名称情報及び放送開始日時情報が予約記憶手段に格納される。そして、設定された予約録画番組の放送開始日時に到達したか否かが判定され、放送開始日時に到達したと判定された場合に、ＥＰＧ情報が取得され、取得されたＥＰＧ情報の予約録画番組に対応する番組名称が、予約記憶手段に格納された番組名称と一致するか否かが判定される。更に、一致しないと判定された場合に、番組情報記憶手段に格納される番組名称情報が、予約録画番組の番組名称情報と一致しない旨の情報である名称不一致情報が番組名称情報と対応付けて番組情報記憶手段に格納されるため、録画された番組の番組名称情報を更に利便性良好に変更することができる。
【００１３】
すなわち、放送開始日時に到達したと判定された場合に、ＥＰＧ情報が取得され、取得されたＥＰＧ情報の予約録画番組に対応する番組名称が、予約記憶手段に格納された番組名称と一致するか否かが判定され、一致しないと判定された場合に、番組情報記憶手段に格納される番組名称情報が、予約録画番組の番組名称情報と一致しない旨の情報である名称不一致情報が番組名称情報と対応付けて番組情報記憶手段に格納されるため、ユーザは、名称不一致情報が格納されているか否かを確認することによって、放送開始日時のＥＰＧ情報の予約録画番組に対応する番組名称（＝番組情報記憶手段に番組名称情報として格納される番組名称）が、予約記憶手段に格納された番組名称（＝録画予約をした際にＥＰＧ情報に含まれていた番組名称）と一致しないこと（＝ユーザが、変更を所望することが推定される番組名称であること）を確認することが可能となるので、録画された番組の番組名称情報を更に利便性良好に変更することができるのである。
【００１４】
請求項３に記載のデジタル放送記録装置によれば、外部からの操作入力が受け付けられて、受け付けられた操作入力に基づいて、番組情報記憶手段に格納された番組名称情報が、名称不一致情報と対応付けて記録番組表示画面としてモニタに表示され、表示された記録番組表示画面を介して、変更対象番組名称として、１の番組名称情報が選択されるため、録画された番組の番組名称情報を更に利便性良好に変更することができる。
【００１５】
すなわち、番組情報記憶手段に格納された番組名称情報が、名称不一致情報と対応付けて記録番組表示画面としてモニタに表示され、表示された記録番組表示画面を介して、変更対象番組名称として、１の番組名称情報が選択されるため、ユーザは、記録番組表示画面に名称不一致情報が表示されている番組名称情報を、変更対象番組名称として容易に選択することができるので、録画された番組の番組名称情報を更に利便性良好に変更することができるのである。
【００１６】
請求項４に記載のデジタル放送記録装置によれば、外部からの操作入力が受け付けられて、受け付けられた操作入力に基づいて、番組表記憶手段に格納された番組表情報が、番組表画面としてモニタに表示され、番組表画面を介して、変更先番組名称として、１の番組名称情報が選択されるため、録画された番組の番組名称情報を更に利便性良好に変更することができる。
【００１７】
すなわち、番組表記憶手段に格納された番組表情報が、番組表画面としてモニタに表示され、番組表画面を介して、変更先番組名称として、１の番組名称情報が選択されるため、ユーザは、番組表画面に表示されている番組名称情報を、変更先番組名称として容易に選択することができるので、録画された番組の番組名称情報を更に利便性良好に変更することができるのである。
【発明を実施するための最良の形態】
【００１８】
以下に本発明の実施形態を、図面を参照しながら説明する。図１は、本発明に係るＨＤＤレコーダの構成の一例を示すブロック図である。ＨＤＤレコーダ１（デジタル放送記録装置に相当する）は、出力装置２と通信可能に接続されると共に、リモートコントローラ（＝Ｒｅｍｏｔｅｃｏｎｔｒｏｌｌｅｒ：以下、「リモコン」という）３と赤外線通信を介して通信可能に接続されている。
【００１９】
ＨＤＤレコーダ１は、リモコン３を介してユーザからの操作入力を受け付けて、受け付けた操作入力に基づいて、テレビジョン放送を受信し、受信した番組情報を格納するものである。また、ＨＤＤレコーダ１は、格納された番組情報を読み出して再生し、出力装置２に対して映像及び音声を出力するものである。
【００２０】
出力装置２は、ディスプレイ２１及びスピーカ２２を備え、ＨＤＤレコーダ１から入力された音声情報及び映像情報を出力するものである。ディスプレイ２１（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、ＨＤＤレコーダ１から入力された映像情報を外部から視認可能に表示するものである。スピーカ２２は、ＨＤＤレコーダ１から入力された音声情報を出力するものである。
【００２１】
リモコン３（録画予約手段の一部、表示制御手段の一部、第１選択手段の一部、及び、第２選択手段の一部に相当する）は、ユーザからの操作入力を受け付けて、受け付けられた操作入力に対応する赤外線信号を生成して、ＨＤＤレコーダ１に対して出力するものである。
【００２２】
また、ＨＤＤレコーダ１は、ＭＰＵ１１、ＲＡＭ１２、ＲＯＭ１３、操作部１４、受信部１５、音声出力部１６、ＭＰＥＧ２デコード部１７、画像出力部１８、及び、ＨＤＤ１９を備えている。
【００２３】
ＭＰＵ（Ｍｉｃｒｏ  Ｐｒｏｃｅｓｓｉｎｇ  Ｕｎｉｔ）１１は、ＨＤＤレコーダ１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００２４】
操作部１４は、電源のＯＮ、ＯＦＦ操作、選局等の各種操作を受け付けるものである。また、操作部１４は、赤外線通信を介して、リモコン３からの操作信号を受け付けて、各種操作を受け付けるものである。受信部１５（受信手段に相当する）は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００２５】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００２６】
音声出力部１６は、受信部１５によって受信されたテレビジョン放送に対応する音声信号をスピーカ２２に対して出力するものであって、Ｄ／Ａ変換部１６１、及び、音声信号出力部１６２を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号をスピーカ２２に対して出力するものである。
【００２７】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００２８】
画像出力部１８は、ＭＰＥＧ２デコード部１７によって復号化された映像信号をディスプレイ２１に対して出力するものであって、ＮＴＳＣエンコード部１８１、及び、映像信号出力部１８２を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ２１に対して出力するものである。
【００２９】
ＨＤＤ（Ｈａｒｄ  Ｄｉｓｋ  Ｄｒｉｖｅ）１９は、ＭＰＵ１１からの指示に従って映像情報、音声情報等の種々の情報を格納すると共に、ＭＰＵ１１からの指示に従って格納された映像情報、音声情報等の種々の情報を出力するものである。
【００３０】
次に、ＨＤＤレコーダ１が放送を受信する場合の動作について説明する。まず、送信されてきたデジタル放送波がアンテナ部１５１で受信される。リモコン３（又は、操作部１４）を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００３１】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等を含み、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ２２から音声が出力される。
【００３２】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ２１に映像が表示される。
【００３３】
図２は、本発明に係るＨＤＤレコーダ１における主要部の構成の一例を示すブロック図である。ＭＰＵ１１は、機能的に、番組表取得部１１１、録画予約部１１２、日時判定部１１３、名称判定部１１４、不一致記録部１１５、表示制御部１１６、第１選択部１１７、第２選択部１１８、及び、置換実行部１１９を備え、ＲＡＭ１２は、機能的に、番組表記憶部１２１、及び、予約記憶部１２２を備え、ＨＤＤ１９は、機能的に、番組情報記憶部１９１を備えている。
【００３４】
ここでは、ＭＰＵ１１が、図１に示すＲＯＭ１３等に予め格納された制御プログラムを読み出して実行することにより、番組表取得部１１１、録画予約部１１２、日時判定部１１３、名称判定部１１４、不一致記録部１１５、表示制御部１１６、第１選択部１１７、第２選択部１１８、置換実行部１１９等の機能部として機能すると共に、ＲＡＭ１２を、番組表記憶部１２１、予約記憶部１２２等の機能部として機能させ、ＨＤＤ１９を、番組情報記憶部１９１等の機能部として機能させるものである。
【００３５】
また、ＲＡＭ１２、図１に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、半導体メモリ等である。
【００３６】
番組情報記憶部１９１（番組情報記憶手段に相当する）は、受信部１５によって受信された１のチャンネルの映像情報、音声情報及び番組名称情報を含む番組情報、及び、番組情報記憶部１９１に格納された番組名称情報が予約録画番組の番組名称情報と一致しない旨の情報である名称不一致情報を格納するものである。
【００３７】
番組情報記憶部１９１に格納された番組情報及び名称不一致情報は、不一致記録部１１５によって番組情報記憶部１９１に書き込まれるものである。また、番組情報記憶部１９１に格納された番組情報の内、番組名称情報は、第１選択部１１７によって読み出されると共に、置換実行部１１９によって書き換えられるものである。
【００３８】
番組表記憶部１２１（番組表記憶手段に相当する）は、番組表取得部１１１によって取得されたＥＰＧ情報を格納するものである。番組表記憶部１２１に格納されたＥＰＧ情報は、名称判定部１１４及び第２選択部１１８によって読み出されるものである。
【００３９】
予約記憶部１２２（予約記憶手段に相当する）は、録画予約部１１２によって設定された予約録画番組の番組名称情報及び放送開始日時情報を格納するものである。予約記憶部１２２に格納された番組名称情報は、名称判定部１１４によって読み出されるものであって、予約記憶部１２２に格納された放送開始日時情報は、日時判定部１１３によって読み出されるものである。
【００４０】
番組表取得部１１１（番組表取得手段の一部に相当する）は、受信部１５を介してＥＰＧ情報を取得すると共に、取得したＥＰＧ情報を番組表記憶部１２１に格納するものである。
【００４１】
録画予約部１１２（録画予約手段の一部に相当する）は、リモコン３を介してユーザからの操作入力を受け付けて、受け付けられた操作入力に基づいて、番組表記憶部１２１に格納されたＥＰＧ情報を介して、録画する対象の番組である予約録画番組を設定すると共に、設定された予約録画番組の番組名称情報及び放送開始日時情報を予約記憶部１２２に格納するものである。
【００４２】
日時判定部１１３（日時判定手段に相当する）は、計時機能を備え、録画予約部１１２によって設定され、予約記憶部１２２に格納された予約録画番組の放送開始日時に到達したか否かを判定するものである。
【００４３】
名称判定部１１４（名称判定手段に相当する）は、日時判定部１１３によって放送開始日時に到達したと判定された場合に、番組表取得部１１１に対してＥＰＧ情報を取得させ、取得されたＥＰＧ情報の予約録画番組に対応する番組名称（＝番組情報記憶部１９１に番組名称情報として格納される番組名称）が、予約記憶部１２２に格納された番組名称（＝録画予約をした際にＥＰＧ情報に含まれていた番組名称）と一致するか否かを判定するものである。
【００４４】
不一致記録部１１５（不一致記録手段に相当する）は、日時判定部１１３によって放送開始日時に到達したと判定された場合に、録画予約部１１２によって設定され、予約記憶部１２２に格納された予約録画番組を、受信部１５を介して受信し、受信した番組情報を番組情報記憶部１９１に格納するものである。
【００４５】
また、不一致記録部１１５は、名称判定部１１４によって一致しないと判定された場合に、名称判定部１１４によって番組表取得部１１１を介して取得された（＝番組情報記憶部１９１に格納される）番組名称情報が、予約録画番組の番組名称情報と一致しない旨の情報である名称不一致情報を番組名称情報と対応付けて番組情報記憶部１９１に格納するものである。
【００４６】
表示制御部１１６（表示制御手段の一部に相当する）は、リモコン３を介してユーザからの操作入力を受け付けて、受け付けられた操作入力に基づいて、番組情報記憶部１９１に格納された番組名称情報を、名称不一致情報と対応付けて記録番組表示画面（図５（ａ）参照）としてディスプレイ２１に表示するものである。
【００４７】
また、表示制御部１１６は、リモコン３を介してユーザからの操作入力を受け付けて、受け付けられた操作入力に基づいて、番組表記憶部１２１に格納された番組表情報を、番組表画面（図５（ｂ）参照）としてディスプレイ２１に表示するものである。
【００４８】
第１選択部１１７（第１選択手段の一部に相当する）は、リモコン３を介してユーザからの操作入力を受け付けて、受け付けられた操作入力に基づいて、番組情報記憶部１９１に格納された番組名称情報の中から１の番組名称情報を、変更する対象の番組名称である変更対象番組名称として選択するものである。
【００４９】
具体的には、第１選択部１１７は、リモコン３を介してユーザからの操作入力を受け付けて、受け付けられた操作入力に基づいて、表示制御部１１６によって表示された記録番組表示画面（図５（ａ）参照）を介して、変更対象番組名称として、１の番組名称情報を選択するものである。
【００５０】
第２選択部１１８（第２選択手段の一部に相当する）は、リモコン３を介してユーザからの操作入力を受け付けて、受け付けられた操作入力に基づいて、番組表取得部１１１によって取得され、番組表記憶部１２１に格納されたＥＰＧ情報から１の番組名称情報を、変更対象番組名称に換えて置換する番組名称である変更先番組名称として選択するものである。
【００５１】
具体的には、第２選択部１１８は、リモコン３を介してユーザからの操作入力を受け付けて、受け付けられた操作入力に基づいて、表示制御部１１６によって表示された番組表画面（図５（ｂ）参照）を介して、変更先番組名称として、１の番組名称情報を選択するものである。
【００５２】
置換実行部１１９（置換実行手段に相当する）は、第１選択部１１７によって選択された変更対象番組名称情報を、第２選択部１１８によって選択された変更先番組名称情報に置き換えて、番組情報記憶部１９１に書き込むものである。
【００５３】
図３は、ＨＤＤレコーダ１（主にＭＰＵ１１）の録画動作の一例を示すフローチャートである。なお、ここでは、番組表取得部１１１によって、予めＥＰＧ情報が取得され番組表記憶部１２１に格納されている場合について説明する。まず、録画予約部１１２によって、録画する対象の番組である予約録画番組が設定されたか否かの判定が行われる（Ｓ１０１）。予約録画番組が設定されていないと判定された場合（Ｓ１０１でＮＯ）には、処理が待機状態とされる。予約録画番組が設定されたと判定された場合（Ｓ１０１でＹＥＳ）には、録画予約部１１２によって、設定された予約録画番組の番組名称情報及び放送開始日時情報が予約記憶部１２２に格納される（Ｓ１０３）。
【００５４】
そして、日時判定部１１３によって、予約記憶部１２２に格納された予約録画番組の放送開始日時に到達したか否かの判定が行われる（Ｓ１０５）。放送開始日時に到達していないと判定された場合（Ｓ１０５でＮＯ）には、処理が待機状態とされる。放送開始日時に到達したと判定された場合（Ｓ１０５でＹＥＳ）には、名称判定部１１４によって番組表取得部１１１を介してＥＰＧ情報が取得される（Ｓ１０７）。そして、名称判定部１１４によって、ステップＳ１０７において取得されたＥＰＧ情報の予約録画番組に対応する番組名称が、予約記憶部１２２に格納された番組名称と一致するか否かが判定される（Ｓ１０９）。
【００５５】
一致しないと判定された場合（Ｓ１０９でＮＯ）には、不一致記録部１１５によって、名称不一致情報が番組名称情報と対応付けて番組情報記憶部１９１に格納される（Ｓ１１１）。一致すると判定された場合（Ｓ１０９でＹＥＳ）、又は、ステップＳ１１１の処理が終了した場合には、不一致記録部１１５によって、予約記憶部１２２に格納された予約録画番組が、受信部１５を介して受信され、受信した番組情報が番組情報記憶部１９１に格納され（Ｓ１１３）、処理が終了される。
【００５６】
図４は、ＨＤＤレコーダ１（主にＭＰＵ１１）の番組名称変更動作の一例を示すフローチャートである。まず、第１選択部１１７によって、リモコン３を介して番組名称を変更する旨の指示が受け付けられたか否かの判定が行われる（Ｓ２０１）。番組名称を変更する旨の指示が受け付けられていないと判定された場合（Ｓ２０１でＮＯ）には、処理が待機状態とされる。番組名称を変更する旨の指示が受け付けられたと判定された場合（Ｓ２０１でＹＥＳ）には、表示制御部１１６によって記録番組表示画面（図５（ａ）参照）がディスプレイ２１に表示される（Ｓ２０３）。そして、第１選択部１１７によって、変更対象番組名称として、１の番組名称情報が選択されたか否かの判定が行われる（Ｓ２０５）。
【００５７】
変更対象番組名称が選択されていないと判定された場合（Ｓ２０５でＮＯ）には、処理が待機状態とされる。変更対象番組名称が選択されたと判定された場合（Ｓ２０５でＹＥＳ）には、表示制御部１１６によって、番組表画面（図５（ｂ）参照）がディスプレイ２１に表示される（Ｓ２０７）。そして、第２選択部１１８によって、変更先番組名称として１の番組名称情報が選択されたか否かの判定は行われる（Ｓ２０９）。変更先番組名称が選択されていないと判定された場合（Ｓ２０９でＮＯ）には、処理が待機状態とされる。変更先番組名称が選択されたと判定された場合（Ｓ２０９でＹＥＳ）には、置換実行部１１９によって、番組名称情報の置換処理を実行する旨の指示が受け付けられたか否かの判定が行われる（Ｓ２１１）。
【００５８】
置換処理を実行する旨の指示が受け付けられていないと判定された場合（Ｓ２１１でＮＯ）には、処理が終了される。置換処理を実行する旨の指示が受け付けられたと判定された場合（Ｓ２１１でＹＥＳ）には、置換実行部１１９によって、ステップＳ２０５において選択された変更対象番組名称情報が、ステップＳ２０９において選択された変更先番組名称情報に置き換えて、番組情報記憶部１９１に書き込まれ（Ｓ２１３）、処理が終了される。
【００５９】
図５は、図４に示すフローチャートのステップＳ２０３及びステップＳ２１３においてディスプレイ２１に表示される記録番組表示画面、及び、ステップＳ２０７においてディスプレイ２１に表示される番組表画面の一例を示す画面図である。（ａ）は、図４に示すフローチャートのステップＳ２０３及びステップＳ２１３においてディスプレイ２１に表示される記録番組表示画面４１０であり、（ｂ）は、図４に示すフローチャートのステップＳ２０７においてディスプレイ２１に表示される番組表画面４２０である。
【００６０】
（ａ）に示すように、記録番組表示画面４１０には、画面略中央部に、番組情報記憶部１９１に格納された番組毎に、番組名称表示部４１１、名称不一致表示部４１２が表示され、画面下部に、変更対象選択ボタン４１３、変更実行ボタン４１４、キャンセルボタン４１５が表示されている。
【００６１】
番組名称表示部４１１は、番組情報記憶部１９１に格納された番組名称情報を選択可能に表示するものであり、名称不一致表示部４１２は、番組情報記憶部１９１に格納された名称不一致情報の有無を表示するものである。また、番組名称表示部４１１には、選択状態にあることを示す選択状態表示マーク４１６が表示されている。選択状態表示マーク４１６は、例えば、リモコン３に配設された上方向キー又は下方向キーが押下された場合に、押下されたキーの向きに選択状態である番組名称が移動されるものである。ここでは、番組名称表示部４１１に表示された番組名称「ＢＢＢＢ」が選択状態であることを示している。
【００６２】
変更対象選択ボタン４１３は、選択状態表示マーク４１６が表示された（＝選択状態にある）番組名称を、変更対象番組名称として選択する場合に押下されるボタンである。なお、以下の説明において「押下される」とは、例えば、リモコン３に配設された上方向キー又は下方向キーによって選択状態とされ、リモコン３に配設された決定キーが押下されることを意味している。また、変更対象選択ボタン４１３が押下された場合には、（ｂ）に示す番組表画面４２０がディスプレイ２１に表示される。
【００６３】
変更実行ボタン４１４は、選択された変更対象番組名称情報を、選択された変更先番組名称情報に置き換えて、番組情報記憶部１９１に書き込む場合に押下されるボタンである。キャンセルボタン４１５は、変更対象番組名称情報の選択状態をキャンセルする場合に押下されるボタンである。
【００６４】
（ｂ）に示すように、番組表画面４２０には、画面略中央部に番組表表示部４２１が表示され、画面下部に、決定ボタン４２３、及び、キャンセルボタン４２４が表示されている。番組表表示部４２１は、番組表記憶部１２１に格納された番組表情報を表示するものであって、縦方向にチャンネル名称が記載され、横方向が時間軸となったものであって、各チャンネル、各時刻に対応する番組名称が表示されている。また、番組表表示部４２１には、番組表表示部４２１に表示された番組名称の内、１の番組名称が選択状態であることを示す選択状態表示マーク４２２が表示されている。選択状態表示マーク４２２は、例えば、リモコン３に配設された上下左右の各方向キーが押下された場合に、押下されたキーの向きに選択状態である番組名称が移動されるものである。ここでは、番組表表示部４２１に表示された番組名称「Ｗｏｒｋｉｎｇ  Ｌｕｎｃｈ」が選択状態であることを示している。
【００６５】
決定ボタン４２３は、選択状態表示マーク４２２が表示された（＝選択状態とされた）番組名称を変更先番組名称として選択する場合に押下されるボタンである。決定ボタン４２３が押下された場合には、（ａ）に示す記録番組表示画面４１０がディスプレイ２１に表示される。ただし、この記録番組表示画面４１０には、選択状態表示マーク４１６が表示された番組名称が、選択状態表示マーク４２２が表示された番組名称に置換されて表示される。キャンセルボタン４２４は、変更先番組名称情報の選択状態をキャンセルする場合に押下されるボタンである。
【００６６】
このようにして、受信部１５によって、予め設定された１のチャンネルのデジタル放送が受信され、受信された１のチャンネルの映像情報が、該映像情報に対応する番組名称情報と対応付けて番組情報記憶部１９１に格納される。そして、リモコン３を介してユーザからの操作入力を受け付けられて、受け付けられた操作入力に基づいて、番組情報記憶部１９１に格納された番組名称情報の中から１の番組名称情報が、変更する対象の番組名称である変更対象番組名称として選択され、更に、受信部１５を介してＥＰＧ情報が取得され、リモコン３を介してユーザからの操作入力を受け付けられて、受け付けられた操作入力に基づいて、取得されたＥＰＧ情報から１の番組名称情報が、変更対象番組名称に換えて置換する番組名称である変更先番組名称として選択される。また、変更対象番組名称が、変更先番組名称情報に置き換えられて、番組情報記憶手段に書き込まれるため、録画された番組の番組名称情報を利便性良好に変更することができる。
【００６７】
すなわち、番組情報記憶部１９１に格納された番組名称情報の中から１の番組名称情報が、変更する対象の番組名称である変更対象番組名称として選択され、取得されたＥＰＧ情報から１の番組名称情報が、変更対象番組名称に換えて置換する番組名称である変更先番組名称として選択され、変更対象番組名称が変更先番組名称情報に置き換えられて、番組情報記憶手段に書き込まれるため、ユーザは、変更先番組名称情報をＥＰＧ情報から選択することによって容易に設定することができるので、録画された番組の番組名称情報を利便性良好に変更することができるのである。
【００６８】
また、取得されたＥＰＧ情報が番組表記憶部１２１に格納されており、リモコン３を介してユーザからの操作入力を受け付けられて、受け付けられた操作入力に基づいて、番組表記憶部１２１に格納されたＥＰＧ情報を介して、録画する対象の番組である予約録画番組が設定され、設定された予約録画番組の番組名称情報及び放送開始日時情報が予約記憶部１２２に格納される。そして、設定された予約録画番組の放送開始日時に到達したか否かが判定され、放送開始日時に到達したと判定された場合に、ＥＰＧ情報が取得され、取得されたＥＰＧ情報の予約録画番組に対応する番組名称が、予約記憶部１２２に格納された番組名称と一致するか否かが判定される。更に、一致しないと判定された場合に、番組情報記憶部１９１に格納される番組名称情報が、予約録画番組の番組名称情報と一致しない旨の情報である名称不一致情報が番組名称情報と対応付けて番組情報記憶部１９１に格納されるため、録画された番組の番組名称情報を更に利便性良好に変更することができる。
【００６９】
すなわち、放送開始日時に到達したと判定された場合に、ＥＰＧ情報が取得され、取得されたＥＰＧ情報の予約録画番組に対応する番組名称が、予約記憶部１２２に格納された番組名称と一致するか否かが判定され、一致しないと判定された場合に、番組情報記憶部１９１に格納される番組名称情報が、予約録画番組の番組名称情報と一致しない旨の情報である名称不一致情報が番組名称情報と対応付けて番組情報記憶部１９１に格納されるため、ユーザは、名称不一致情報が格納されているか否かを確認することによって、放送開始日時のＥＰＧ情報の予約録画番組に対応する番組名称（＝番組情報記憶部１９１に番組名称情報として格納される番組名称）が、予約記憶部１２２に格納された番組名称（＝録画予約をした際にＥＰＧ情報に含まれていた番組名称）と一致しないこと（＝ユーザが、変更を所望することが推定される番組名称であること）を確認することが可能となるので、録画された番組の番組名称情報を更に利便性良好に変更することができるのである。
【００７０】
更に、リモコン３を介してユーザからの操作入力が受け付けられて、受け付けられた操作入力に基づいて、番組情報記憶部１９１に格納された番組名称情報が、名称不一致情報と対応付けて記録番組表示画面４１０（図５（ａ）参照）としてディスプレイ２１に表示され、表示された記録番組表示画面４１０を介して、変更対象番組名称として、１の番組名称情報が選択されるため、録画された番組の番組名称情報を更に利便性良好に変更することができる。
【００７１】
すなわち、番組情報記憶部１９１に格納された番組名称情報が、名称不一致情報と対応付けて記録番組表示画面４１０としてディスプレイ２１に表示され、表示された記録番組表示画面４１０を介して、変更対象番組名称として、１の番組名称情報が選択されるため、ユーザは、記録番組表示画面４１０に名称不一致情報が表示されている番組名称情報を、変更対象番組名称として容易に選択することができるので、録画された番組の番組名称情報を更に利便性良好に変更することができるのである。
【００７２】
加えて、リモコン３を介してユーザからの操作入力が受け付けられて、受け付けられた操作入力に基づいて、番組表記憶部１２１に格納された番組表情報が、番組表画面４２０（図５（ｂ）参照）としてディスプレイ２１に表示され、番組表画面４２０を介して、変更先番組名称として、１の番組名称情報が選択されるため、録画された番組の番組名称情報を更に利便性良好に変更することができる。
【００７３】
すなわち、番組表記憶部１２１に格納された番組表情報が、番組表画面４２０としてディスプレイ２１に表示され、番組表画面４２０を介して、変更先番組名称として、１の番組名称情報が選択されるため、ユーザは、番組表画面４２０に表示されている番組名称情報を、変更先番組名称として容易に選択することができるので、録画された番組の番組名称情報を更に利便性良好に変更することができるのである。
【００７４】
なお、本発明は、以下の形態にも適用可能である。
（Ａ）本実施形態では、デジタル放送記録装置が、ＨＤＤレコーダ１である場合について説明したが、デジタル放送記録装置が、デジタル放送を介して受信した番組情報を格納すると共に、格納された番組情報を再生してモニタに表示する装置であればよい。例えば、デジタル放送記録装置が、ＤＶＤレコーダ等である形態でもよい。
【００７５】
（Ｂ）本実施形態では、ＭＰＵ１１が、機能的に、番組表取得部１１１、録画予約部１１２、日時判定部１１３、名称判定部１１４、不一致記録部１１５、表示制御部１１６、第１選択部１１７、第２選択部１１８、置換実行部１１９等を備える場合について説明したが、番組表取得部１１１、録画予約部１１２、日時判定部１１３、名称判定部１１４、不一致記録部１１５、表示制御部１１６、第１選択部１１７、第２選択部１１８、及び、置換実行部１１９の内、少なくとも１の機能部が回路等のハードウェアによって構成されている形態でもよい。
【図面の簡単な説明】
【００７６】
【図１】は、本発明に係るＨＤＤレコーダの構成の一例を示すブロック図である。
【図２】は、本発明に係るＨＤＤレコーダにおける主要部の構成の一例を示すブロック図である。
【図３】は、ＨＤＤレコーダ（主にＭＰＵ）の録画動作の一例を示すフローチャートである。
【図４】は、ＨＤＤレコーダ（主にＭＰＵ）の番組名称変更動作の一例を示すフローチャートである。
【図５】は、図４に示すフローチャートのステップＳ２０３及びステップＳ２１３においてディスプレイに表示される記録番組表示画面、及び、ステップＳ２０７においてディスプレイに表示される番組表画面の一例を示す画面図である。
【符号の説明】
【００７７】
１    ＨＤＤレコーダ（デジタル放送記録装置）
１１    ＭＰＵ
１１１    番組表取得部（番組表取得手段）
１１２    録画予約部（録画予約手段の一部）
１１３    日時判定部（日時判定手段）
１１４    名称判定部（名称判定手段）
１１５    不一致記録部（不一致記録手段）
１１６    表示制御部（表示制御手段の一部）
１１７    第１選択部（第１選択手段の一部）
１１８    第２選択部（第２選択手段の一部）
１１９    置換実行部（置換実行手段）
１２    ＲＡＭ
１２１    番組表記憶部
１２２    予約記憶部
１９    ＨＤＤ
１９１    番組情報記憶部（番組情報記憶手段）
１５    受信部（受信手段）
２    出力装置
２１    ディスプレイ（モニタ）
３    リモコン（録画予約手段の一部、表示制御手段の一部、第１選択手段の一部、及び、第２選択手段の一部）
【図１】
2009005124.tif 000003
【図２】
2009005124.tif 000004
【図３】
2009005124.tif 000005
【図４】
2009005124.tif 000006
【図５】
2009005124.tif 000007